(57)【要約】      （修正有）【課題】コネクタハウジング全体の構造強度が向上し、かつ各挿入ポートの寸法精度が確実に確保される。【解決手段】コネクタハウジングにおいて、頂壁、一対の側壁、底壁２００及び仕切り部材３００がシングルピースに形成される。底壁２００は、一対の側壁にそれぞれ接続される、第１の底壁部と第２の底壁部を備える。第１の底壁部と第２の底壁部は、互いに向かい合いかつ互いから分離された一対の長手縁部を有する。第１と第２の底壁部の一対の分離された長手縁部は、複数の第１の接続部材と複数の第２の接続部材によってともに係合される。仕切り部材３００の下縁部が第１と第２の底壁部のうちの一方の長手縁部に一体的に接続され、かつ仕切り部材３００の上縁部が頂壁に取り外し可能に接続される。【選択図】図３
2016004788.tif 000002
【特許請求の範囲】
【請求項１】
コネクタハウジングであって、
頂壁と、
一対の側壁と、
底壁と、
前記頂壁、前記一対の側壁、前記底壁によって画定される内部空間を二つの挿入ポートに仕切るために前記頂壁と前記底壁との間に配置される仕切り部材を備え、
前記頂壁、前記一対の側壁、前記底壁及び前記仕切り部材は、シングルピースに形成され、
前記底壁は、前記一対の側壁にそれぞれ接続される第１の底壁部と第２の底壁部を備え、前記第１の底壁部と前記第２の底壁部は、互いに向かい合いかつ互いから分離された一対の長手縁部を有し、
複数の第１の接続部材が、前記第１の底壁部と前記第２の底壁部のうちの一方の前記長手縁部に設けられ、
複数の第２の接続部材が、前記第１の底壁部と前記第２の底壁部のうちの他方の前記長手縁部に設けられ、前記第１の接続部材はそれぞれ、前記第２の接続部材に嵌合され、それによって、前記第１の底壁部と前記第２の底壁部の前記一対の分離された長手縁部は、ともに係合され、
前記仕切り部材の下縁部が、前記第１の底壁部と前記第２の底壁部のうちの前記他方の前記長手縁部に一体的に接続され、前記仕切り部材の上縁部が前記頂壁に取り外し可能に接続される、コネクタハウジング。
【請求項２】
前記頂壁の後端に一体的に接続される後端壁をさらに備え、
前記後端壁が、前記二つの挿入ポートの後端開口を覆う、請求項１に記載のコネクタハウジング。
【請求項３】
前記第１の接続部材は、互いから離間された複数の蟻継ぎタブを備え、かつ、
前記第２の接続部材は、互いから離間されかつ複数の蟻継ぎタブと嵌合される複数の蟻継ぎスロットを備える、請求項２に記載のコネクタハウジング。
【請求項４】
それぞれが前記仕切り部材の前記下縁部であって、かつ、前記蟻継ぎスロットがある位置に形成される第３の接続部材と、
前記蟻継ぎタブに形成され、前記第３の接続部材がそれぞれ貫通する複数の貫通孔と、をさらに備える、請求項３に記載のコネクタハウジング。
【請求項５】
前記複数の蟻継ぎタブのうちの少なくとも二つの蟻継ぎタブは、互いに異なる形状および／または寸法を有し、かつ、
前記複数の蟻継ぎスロットのうちの少なくとも二つの蟻継ぎスロットは、互いに異なる形状および／または寸法を有する、請求項３に記載のコネクタハウジング。
【請求項６】
前記第３の接続部材は、屈曲可能な接続舌部として形成されており、
前記屈曲可能な接続舌部は、それぞれが貫通孔を貫通するように構成され、その後、曲げられて前記第１の底壁部と前記第２の底壁部における前記一方の外表面に対して押圧される、請求項４に記載のコネクタハウジング。
【請求項７】
前記第３の接続部材は、挿入ピンとして形成されており、
前記挿入ピンは、前記貫通孔を貫通するように構成され、前記コネクタハウジングを取り付けるための回路基板に挿入される、請求項４に記載のコネクタハウジング。
【請求項８】
複数対の第１の屈曲可能な接続ラグが、前記仕切り部材の前記上縁部に設けられ、
前記複数対の第１の屈曲可能な接続ラグがそれぞれ嵌合される複数の第１のスリットが、前記頂壁に設けられ、
各対の第１の屈曲可能な接続ラグは、一つの対応する第１のスリットを貫通し、その後、曲げられて前記頂壁の外表面に対して押圧されて、前記仕切り部材を前記頂壁に接続する、請求項１に記載のコネクタハウジング。
【請求項９】
各対の前記第１の屈曲可能な接続ラグは、反対方向へ曲げられる、請求項８に記載のコネクタハウジング。
【請求項１０】
前記複数対の第１の屈曲可能な接続ラグは、互いから規則的に離間される、請求項９に記載のコネクタハウジング。
【請求項１１】
一対の第２の屈曲可能な接続ラグが、前記後端壁に隣接する前記仕切り部材の一端に設けられ、
前記一対の第２の屈曲可能な接続ラグと嵌合される第２のスリットが、前記後端壁に設けられ、
前記一対の第２の屈曲可能な接続ラグは、前記第２のスリットを貫通し、次に曲げられて前記後端壁の外表面に押圧されて、前記仕切り部材を前記後端壁に接続する請求項２に記載のコネクタハウジング。
【請求項１２】
各対の第２の屈曲可能な接続ラグは、反対方向へ曲げられる、請求項１１に記載のコネクタハウジング。
【請求項１３】
突起が各々、前記後端壁に隣接する各側壁の一端に設けられ、
屈曲可能な接続片が、各側壁に隣接する前記後端壁の一端にそれぞれ設けられ、
前記接続片は、曲げられ、その後、前記接続片に形成された開口によって前記突起にスナップ嵌合されて、前記一対の側壁を前記後端壁に接続する、請求項１２に記載のコネクタハウジング。
【請求項１４】
前記コネクタハウジングは、単一の板を折り曲げることによって形成される、請求項１に記載のコネクタハウジング。
【請求項１５】
前記単一の板は、一回の打ち抜き処理によって形成される、請求項１４に記載のコネクタハウジング。
【発明の詳細な説明】
【関連出願の相互参照】
【０００１】
本願は、中華人民共和国国家知識産権局に２０１４年６月１７日に出願された中国特許出願第２０１４２０３２２６５８．Ｘの利益を主張し、この全開示は、参照によって本書に組み入れられる。
【技術分野】
【０００２】
本発明の実施形態は、外部遮蔽のためのコネクタハウジングに関する。
【背景技術】
【０００３】
図１は、同じ層に配置された二つの挿入ポートを有する、本発明者等によって既知のコネクタハウジングの説明のための組み付け図を示す。図２は、図１に示されるコネクタハウジングの説明のための分解図である。
【０００４】
図１及び図２に示すように、既知のコネクタハウジングは、一般に、上部ハウジング１０、下部ハウジング２０及び仕切り部材３０を備えている。
【０００５】
上部ハウジング１０、下部ハウジング２０及び仕切り部材３０は、図１及び図２に示すように、互いから分離される個別の部材である。
【０００６】
全体では、多くの個別の部品があり、図１及び図２に示すように、部品の数は、３つにまで達している。
【発明の概要】
【発明が解決しようとする課題】
【０００７】
そのようなコネクタハウジング（コネクタケージ又はコネクタの遮蔽ハウジングとも名付けられる）は、上部ハウジング１０、下部ハウジング２０及び一層において互いから分離される仕切り部材３０を備え、かつ複数のポート構成を有するように形成される。このコネクタハウジングは、構造強度が弱く、従って、一体的に割れる傾向がある。
さらに、コネクタハウジングの各ポートは、平行四辺形構成を有し、平行四辺形を形成する４つの側壁は、個別の４つの部品構成を構成するので、平行四辺形効果を示す。すなわち、コネクタハウジングのポートが、コネクタハウジングの二つの側部へ向かって揺動する。
また、コネクタハウジングを組み付けるための部材の嵌め込み寸法を制御することは困難である。これらの要因は、コネクタハウジングのポートの寸法を確保できなくし、その結果、コネクタハウジングのポートの寸法を不良状態にする。加えて、ラバー遮蔽リングは、コネクタハウジングのポートに形成されがちな鋭い突起によって引っ掻かれる可能性がある。
【０００８】
さらに、コネクタハウジングの製造中に、互いに分離されている上部ハウジング１０、下部ハウジング２０及び仕切り部材３０を一体に組み付けるための複雑なステップが必要となり、製造効率が低くなり、かつ効率的な自動機械加工処理を実現することが困難となる。
【０００９】
また、コネクタハウジングを構成する個別の部材の数を減らすコネクタハウジングを提供することが有利である。
【００１０】
また、高強度であり、かつ変形不能なポートを有するコネクタハウジングを提供することが有利である。
【課題を解決するための手段】
【００１１】
本発明の一態様によれば、頂壁と、一対の側壁と、底壁と、前記頂壁と前記底壁との間に配置される仕切り部材を備えるコネクタハウジングが提供される。この仕切り部材は、前記頂壁、前記一対の側壁及び前記底壁によって画定される内部空間を二つの挿入ポートへ仕切る。前記頂壁、前記一対の側壁、前記底壁及び前記仕切り部材は、シングルピースとして形成される。
前記底壁は、前記一対の側壁へそれぞれ接続される第１の底壁部と第２の底壁部を備える。前記第１の底壁部と前記第２の底壁部は、互いに向かい合いかつ互いから分離される一対の長手縁部を有する。複数の第１の接続部材が、前記第１の底壁部と前記第２の底壁部のうちの一方の前記長手縁部に設けられ、複数の第２の接続部材が、前記第１の底壁部と前記第２の底壁部のうちの他方の前記長手縁部に設けられる。
前記第１の接続部材はそれぞれ、前記第２の接続部材に嵌合され、それによって、前記第１の底壁部と前記第２の底壁部の前記一対の分離された長手縁部は、一体に係合される。前記仕切り部材の下縁部は、前記第１と第２の底壁部の他方の前記長手縁部に一体的に接続され、前記仕切り部材の上縁部は、前記頂壁に取り外し可能に接続される。
【００１２】
本発明の一態様によれば、前記コネクタハウジングは、前記頂壁の後端に一体的に接続される後端壁をさらに備え、この後端壁は前記二つの挿入ポートの後端開口を覆う。
【００１３】
本発明の一態様によれば、前記第１の接続部材は、互いから離間される複数の蟻継ぎタブを備える。また、前記第２の接続部材は、互いから離間されかつ前記複数の蟻継ぎタブに嵌合される複数の蟻継ぎスロットを備える。
【００１４】
本発明の一態様によれば、前記コネクタハウジングはさらに、第３の接続部材と、前記蟻継ぎタブに形成され、前記第３の接続部材がそれぞれ貫通する複数の貫通孔を備える。前記第３の接続部材は、前記仕切り部材の前記下縁部上であって、前記蟻継ぎスロットがある位置にそれぞれ形成される。
【００１５】
本発明の他の一態様によれば、前記複数の蟻継ぎタブのうちの少なくとも二つの蟻継ぎタブは、互いに異なる形状および／または寸法を有し、前記複数の蟻継ぎスロットのうちの少なくとも二つの蟻継ぎスロットは、互いに異なる形状および／または寸法を有する。
【００１６】
本発明の他の一態様によれば、前記第３の接続部材は、それぞれ屈曲可能な接続舌部として形成される。この屈曲可能な接続舌部は、前記貫通孔を貫通するように構成され、次に曲げられて、前記第１の底壁部と前記第２の底壁部の前記一方の外表面に対して押圧される。
【００１７】
本発明の他の一態様によれば、前記第３の接続部材は、挿入ピンとして形成される。この挿入ピンは、前記貫通孔を貫通するように構成され、かつ、前記コネクタハウジングを取り付けるための回路基板に挿入される。
【００１８】
本発明の他の一態様によれば、複数対の第１の屈曲可能な接続ラグが、前記仕切り部材の前記上縁部に設けられる。複数対の第１の屈曲可能な接続ラグとそれぞれ嵌合する複数の第１のスリットが、前記頂壁に設けられる。そして、各対の第１の屈曲可能な接続ラグは一つの対応する第１のスリットを通過し、次に曲げられて前記頂壁の前記外表面に対して押圧され、前記仕切り部材を前記頂壁に接続する。
【００１９】
本発明の他の一態様によれば、各対の前記第１の屈曲可能な接続ラグは、反対方向へ曲げられる。
【００２０】
本発明の他の一態様によれば、前記複数対の第１の屈曲可能な接続ラグは、互いから規則的に離間される。
【００２１】
本発明の他の一態様によれば、一対の第２の屈曲可能な接続ラグは、前記後端壁に隣接する前記仕切り部材の一端に設けられる。前記一対の第２の屈曲可能な接続ラグと嵌合される第２のスリットは、前記後端壁に設けられる。そして、前記一対の第２の屈曲可能な接続ラグは、前記第２のスリットを貫通し、次に曲げられて前記後端壁の前記外表面に対して押圧され、前記仕切り部材を前記後端壁に接続する。
【００２２】
本発明の他の一態様によれば、各対の第２の屈曲可能な接続ラグは、反対方向へ曲げられる。
【００２３】
本発明の他の一態様によれば、突起が、前記後端壁に隣接する各側壁の一端に各々設けられる。屈曲可能な接続片が、各側壁に隣接する前記後端壁の一端に各々設けられる。そして、前記接続片は曲げられ、次に前記接続片に形成された開口によって前記突起にスナップ嵌合され、前記一対の側壁を前記後端壁に接続する。
【００２４】
本発明の他の一態様によれば、前記コネクタハウジングは、単一の板を折り曲げることによって形成され、前記単一の板は一回の打ち抜き加工によって形成される。
【００２５】
本発明の上述の種々の実施形態において、前記頂壁、前記一対の側壁、前記底壁及び前記仕切り部材は、シングルピースに形成される。そして、前記第１の底壁部と前記第２の底壁部の、互いに向かい合いかつ互いから離間された前記長手縁部は、前記蟻継ぎタブと蟻継ぎスロットによってともに係合され、前記蟻継ぎタブの前記貫通孔を貫通する前記接続部材によってともに接続される。このため、全体のコネクタハウジングの構造強度が向上され、各挿入ポートの寸法精度が確実に確保される。加えて、本発明に係るコネクタハウジングは、単一の板を曲げることによって形成され、その結果、製造処理及び組み付け処理を減らし、製造効率を上昇し、かつ製造コストを減少させる。
【００２６】
本発明の他の特徴及び利点は以下の詳細な記述によって明瞭にされ、その理解は添付の図面によって助長される。
【図面の簡単な説明】
【００２７】
【図１】従来技術におけるコネクタハウジングを説明するための組み付け図を示す。
【図２】図１に示されるコネクタハウジングを説明するための分解図を示す。
【図３】本発明の一実施形態に係る二つの挿入ポートを有する組み付けられたコネクタハウジングを説明するための図を示す。
【図４】図３に示した二つの挿入ポートを有するコネクタハウジングを説明するための平面拡大図を示す。
【図５】図３に示した二つの挿入ポートを有するコネクタハウジングの底面図を示す。
【図６】図３に示した二つの挿入ポートを有するコネクタハウジングの底部を説明するための部分的な拡大図を示し、互いに係合される蟻継ぎタブと蟻継ぎスロット、及び互いに係合される接続舌部と貫通孔を示す。
【発明を実施するための形態】
【００２８】
本開示の例示的実施形態が、添付の図面を参照して以下に詳細に記述される。類似の参照番号は、類似の要素を指す。但し、本開示を、多くの異なる形態で具体化することができ、ここに述べられる実施形態に限定されると解釈すべきではない。むしろ、これらの実施形態は、本開示が徹底的、かつ完全であり、当業者に対して本開示の概念を十分に伝達するように提供される。
【００２９】
以下の詳細な記述において、多くの具体的詳細は、本開示の実施形態の徹底的な理解を提供するために、説明用に示される。しかしながら、一つ以上の実施形態は、これらの具体的詳細なしで実施することができることは明らかである。他の例では、周知の構造及びデバイスは、図面を簡略化するために概略的に示される。
【００３０】
本発明の一般的な概念に従って、コネクタハウジングが提供される。このコネクタハウジングは、頂壁、一対の側壁、コネクタハウジングの後端壁を形成する後端壁、底壁、及び仕切り部材を備える。この仕切り部材は、頂壁と底壁との間に配置され、頂壁、一対の側壁及び底壁によって画定される内部空間を二つの挿入ポートに仕切る。これらの頂壁、一対の側壁、後端壁、底壁及び仕切り部材は、シングルピースに形成される。
底壁は、第１の底壁部と第２の底壁部を備え、これらはそれぞれ一対の側壁に結合される。第１の底壁部および第２の底壁部は、互いに向かい合いかつ互いから離間される一対の長手縁部を有する。複数の第１の接続部材が、第１の底壁部および第２の底壁部のうちの一方の長尺状縁部に設けられる。複数の第２の接続部材が、第１の底壁部および第２の底壁部のうちの他方の長手縁部に設けられる。第１の接続部材は、第２に接続部材に嵌合される。それによって、第１の底壁部および第２の底壁部の一対の分離された長手縁部は、ともに係合される。仕切り部材の下縁部は、第１の底壁部および第２の底壁部の他方の長手縁部に一体的に接続され、及び仕切り部材の上縁部は、底壁に取り外し可能に接続される。
【００３１】
図３は、本発明の一実施形態に係る二つの挿入ポートを有する組み付けられたコネクタハウジングを説明するための図である。図４は、図３に示した二つの挿入ポートを有するコネクタハウジングを説明するための平面拡大図である。
【００３２】
図３に示すように、図示の実施形態では、コネクタハウジングは、主に、上部ハウジング部１００、下部ハウジング部２００及び仕切り部材部３００を備える。
【００３３】
具体的には、図３と図４に示すように、下部ハウジング部２００は、上部ハウジング部１００の下側に位置する。上部ハウジング部１００は、頂壁１１０と一対の側壁１３０，１３０を備える。下部ハウジング部２００は、コネクタハウジングの底壁を形成するための第１の底壁部２１０と第２の底壁部２２０を備える。第１の底壁部２１０と第２の底壁部２２０はそれぞれ、一対の側壁１３０，１３０で接続される。
このように、内部空間は、頂壁、一対の側壁及び底壁によって画定される。仕切り部材部３００は、頂壁１１０と底壁との間に配置され、この内部空間を二つの挿入ポートに仕切る。二つの挿入ポートは、並んで配置され、コネクタハウジングの頂壁又は底壁と平行な長手方向に延在する。
【００３４】
上部ハウジング１００は、頂壁１１０の後端を一体的に接続する後端壁１２０をさらに備え、二つの挿入ポートの後端開口を覆う。
【００３５】
図３及び図４に示すように、仕切り部材３００は、コネクタハウジングの内部空間に垂直に配置される。仕切り部材３００の上縁部は、頂壁１１０（この後で詳細に記述される）と取り外し可能に接続され、仕切り部材３００の下縁部は、底壁２００（この後で詳細に記述される）と一体的に接続される。
【００３６】
図４に示すように、頂壁１１０、一対の側壁１３０，１３０、後端壁１２０、底壁２００及び仕切り部材３００は、シングルピースに形成される。図５は、図３に示した二つの挿入ポートを有するコネクタハウジングの底面図を示す。図６は、図３に示した二つの挿入ポートを有するコネクタハウジングの底部を説明するための部分的な拡大図を示し、互いに係合された蟻継ぎタブ２１１と蟻継ぎスロット２２１、及び互いに係合された接続舌部３２５と貫通孔２１５を示す。
【００３７】
図４、図５及び図６に示すように、底壁部２００の第１の底壁部２１０と第２の底壁部２２０は、互いに向き合いかつ互いから分離される一対の長手縁部を有する。複数の第１の接続部材が、第１の底壁部２１０と第２の底壁部２２０の内の一方の長手縁部に設けられ、かつ複数の第２の接続部材が、第１の底壁部２１０と第２の底壁部２２０のうちの他方の長手縁部に設けられ、第１の接続部材はそれぞれ第２の接続部材に嵌合され、それによって、第１の底壁部２１０と第２の底壁部２２０における一対の分離された長手縁部がともに係合される。
【００３８】
第１の接続部材は、複数の蟻継ぎタブ２１１，２１２，２１３，２１４を備える。第２の接続部材は、複数の蟻継ぎタブ２１１，２１２，２１３，２１４とそれぞれ嵌合する複数の蟻継ぎスロット２２１，２２２，２２３，２２４を備える。複数の蟻継ぎタブ２１１，２１２，２１３，２１４は、第１の底壁部２１０の長手縁部に設けられ、かつ複数の蟻継ぎスロット２２１，２２２，２２３，２２４は、第２の底壁部２２０の長手縁部に設けられる。
【００３９】
図４、図５及び図６に示すように、図示の実施形態では、蟻継ぎタブ２１１，２１２は、互いに略同一の形状および／または寸法を有するが、蟻継ぎタブ２１３と蟻継ぎタブ２１４のそれらとは異なっている。さらに、蟻継ぎタブ２１３の形状と寸法は、蟻継ぎタブ２１４のそれらとは異なっている。
同様に、図４、図５及び図６に示すように、蟻継ぎスロット２２１，２２２は、互いに略同一の形状および／または寸法を有するが、蟻継ぎスロット２２３と蟻継ぎスロット２２４のそれらとは異なっている。さらに、蟻継ぎスロット２２３の形状と寸法は、蟻継ぎスロット２２４のそれらとは異なっている。このように、異なる形状および／または寸法を有する種々の蟻継ぎタブと蟻継ぎスロットとの間の係合を介して、第１の底壁部２１０と第２の底壁部２２０の一対の分離された長手縁部は、互いに確実に接続されて、互いの間の移動を防止する。
【００４０】
図示の実施形態では、図４、図５及び図６に示すように、コネクタハウジングはさらに、第３の接続部材、及び、複数の貫通孔２１５，２１６，２１７を備える。この第３の接続部材は、仕切り部材の下縁部であってかつ蟻継ぎスロット２２４のそれぞれの位置に形成される。複数の貫通孔２１５，２１６，２１７は、蟻継ぎタブ２１１，２１２，２１４に形成される。第３の接続部材はそれぞれ、これらの貫通孔を貫通する。具体的には、仕切り部材３００は、複数の蟻継ぎスロットが形成された第２の底壁部２２０の長手縁部と接続される。
貫通孔２１５，２１６，２１７はそれぞれ、蟻継ぎタブ２１１，２１２，２１４に設けられ、かつ蟻継ぎタブ２１１，２１２，２１４の貫通孔２１５，２１６，２１７をそれぞれ貫通する第３の接続部材３２５，３２６，３２７は、仕切り部材３００の下縁部に設けられる。
このように、複数の第３の接続部材３２５，３２６，３２７と複数の貫通孔２１５，２１６，２１７との間の係合を介して、第１の底壁部２１０と第２の底壁部２２０における一対の分離された長手縁部は、さらに互いに確実に接続されて、互いの間の移動を防止する。
【００４１】
図４に明瞭に示すように、一つの蟻継ぎタブ２１３と一つの対応する蟻継ぎスロット２２３は、小さめのサイズなので、その一つの蟻継ぎタブ２１３には、貫通孔が設けられない。その一つの蟻継ぎタブ２１３の強度は、仮に小さめの蟻継ぎタブ２１３に貫通孔が設けられるならば、減少されることが理解される。
【００４２】
図４、図５及び図６に示すように、図示の実施形態では、互いから離間された４つの蟻継ぎタブ２１１，２１２，２１３，２１４は、第１の底壁部２１０の長手縁部に設けられる。同様に、互いから離間されかつ４つの対応する蟻継ぎタブ２１１，２１２，２１３，２１４とそれぞれ嵌合する４つの蟻継ぎスロット２２１，２２２，２２３，２２４は、第２の底壁部２２０の長手縁部に設けられる。
【００４３】
本発明は、図示の実施形態には限定されず、例えば、蟻継ぎタブ及び蟻継ぎスロットの数は、図示の４つに限定されず、１つ、２つ、３つ、５つ以上でもよいことに留意されたい。加えて、蟻継ぎタブ及び蟻継ぎスロットの形状および／または寸法は図示の実施形態に限定されず、必要に応じて変更してもよい。
【００４４】
図４、図５及び図６に示すように、図示の実施形態では、複数の第３の接続部材３２５，３２６，３２７は、二つの屈曲可能な接続舌部３２５，３２７を備える。接続舌部３２５，３２７は、それぞれが、蟻継ぎタブ２１１の貫通孔２１５，蟻継ぎタブ２１４の貫通孔２１７を貫通するように構成され、その後、曲げられかつ第１の底壁部２１０の外表面に対して押圧される。
【００４５】
図４、図５及び図６に示すように、図示の実施形態では、複数の第３の接続部材３２５，３２６，３２７は、少なくとも一つの挿入ピン３２６をさらに備える。この挿入ピン３２６は、仕切り部材３００の下縁部に設けられ、蟻継ぎタブ２１２の貫通孔２１６を貫通した後にコネクタハウジングを取付けるための回路基板（図示せず）に挿入される。
【００４６】
図３及び図４を参照すると、本発明の一実施形態では、複数対の第１の屈曲可能な接続ラグ３１１，３１２が、第２の底壁部２２０から離れた仕切り部材３００の上縁部に設けられる。複数対の第１の屈曲可能な接続ラグ３１１，３１２と嵌合される複数の第１のスリット１１１が、頂壁１１０に設けられる。第１の屈曲可能な接続ラグ３１１，３１２の各対は、一つの対応する第１のスリット１１１を貫通し、次に、曲げられかつ第１の頂壁１１０の外表面に対して押圧されて、仕切り部材３００を頂壁１１０に接続する。
【００４７】
図３に示すように、本発明の一実施形態では、仕切り部材３００をより確実に頂壁１１０に接続するために、各対の第１の屈曲可能な接続ラグ３１１，３１２は、反対方向に曲げられかつ頂壁１１０の外表面に押圧される。
【００４８】
図３及び図４に示すように、本発明の一実施形態では、複数対の第１の屈曲可能な接続ラグ３１１，３１２は、互いから規則的に離間され、それによって、均一な荷重を保証しかつコネクタハウジング全体の構造強度を向上することが可能となる。
【００４９】
さらに、一対の第２の屈曲可能な接続ラグ３２１，３２２が、後端壁１２０に隣接する仕切り部材３００の一端部に設けられる。一対の第２の屈曲可能な接続ラグ３２１，３２２と嵌合する第２のスリット１２１が、後端壁１２０に設けられる。一対の第２の屈曲可能な接続ラグ３２１，３２２は、第２のスリット１２１を貫通し、次に、曲げられかつ後端壁１２０の外表面に押圧されて、仕切り部材３００を後端壁１２０に接続する。
【００５０】
図３に示すように、本発明の一実施形態では、仕切り部材３００をより確実に後端壁１２０に接続するために、各対の第２の屈曲可能な接続ラグ３２１，３２２は、反対方向へ曲げられ、後端壁１２０の外表面に押圧される。
【００５１】
図３及び図４に示すように、本発明の一実施形態では、突起１３２が、後端壁１２０に隣接する各側壁１３０の一端に設けられ、屈曲可能な接続片が各側壁１３０に隣接する後端壁１２０の一端に設けられる。接続片は、接続片に形成された開口１２２によって、曲げられて突起１３２にスナップ嵌合されて、一対の側壁１３０を後端壁１２０に接続する。
【００５２】
図４に示すように、本発明の一実施形態では、コネクタハウジング全体は、図４に示したような単一の金属板を折り曲げることによって形成することができる。
【００５３】
本発明の一実施形態では、図４に示したような単一の金属板は、一回の打ち抜き加工によって形成することができる。すなわち一片の材料の板が一回打ち抜き加工されて上部ハウジング１００、下部ハウジング２００、仕切り部材３００及び全ての他の必要な構造体を形成し、それが、コネクタハウジングの全体を構成する。
【００５４】
図３から図６に示される実施形態では、コネクタハウジング全体は一回の打ち抜き加工によって形成することができ、従って、製造処理及び組み付け処理を簡略化し、自動化のレベルを向上し、大量生産を促進し、かつ製造効率を向上する。
【００５５】
加えて、図３から図６に示される実施形態では、コネクタハウジング全体がシングルピースに形成され、第１の底壁部と第２の底壁部における、互いに向き合いかつ互いから分離された長手縁部は、蟻継ぎタブと蟻継ぎスロットによってともに係合されさらに、蟻継ぎタブに形成された貫通孔を貫通する屈曲可能な接続舌部によって一体に接続される。このため、コネクタハウジング全体の構造強度が向上され、かつ各挿入ポートの寸法精度が確実に確保される。
【００５６】
本発明の実施形態に係るコネクタハウジングは、より少ない数の構造部材、例えば唯一つの構造部材を有する。全体では、コネクタハウジングにおいて、組み付け処理が簡略化され、自動組み付けが容易にされる。また、コネクタハウジングを製造するコストが適切な構造設計によって減少され、コネクタハウジングの高い強度と良好な安定性が達成され、コネクタハウジングの設計とメンテナンスが容易になる。
【００５７】
上記の実施形態は、説明することを意図しており、制限することを意図していないことを、当業者は理解されよう。例えば、当業者は上記実施形態に対して多くの変更を行うことができ、かつ異なる実施形態における種々の特徴は、構成又は原理に相反することなく、互いに自由に組み合わされることができる。
【００５８】
いくつかの例示的実施形態を示しかつ記述したが、本開示の原理と精神から逸脱することなく、これらの実施形態に対して種々の変更又は修正をなすことができることを、当業者は理解し、本開示の範囲は、請求項及びそれらの均等物において定義される。
【００５９】
本明細書で使用されるように、単数で列挙されかつ語「ａ（一つの）」又は「ａｎ（一つの）」が先行する要素は、排除が明示的に示されない限り、複数の前記要素又はステップを排除しないものとして理解されるべきである。
さらに、本発明の「ｏｎｅ  ｅｍｂｏｄｉｍｅｎｔ（一実施形態）」を指す場合は、列挙された特徴を組み込む追加の実施形態の存在を排除するものとして解釈される意図はない。
さらに、明示的に反対であることが述べられない限り、特定の性質を有する一つの要素又は複数の要素を「ｃｏｍｐｒｉｓｉｎｇ（備える）」又は「ｈａｖｉｎｇ（有する）」実施形態は、その性質を有さない追加のそのような要素を含んでもよい。
【図１】
2016004788.tif 000003
【図２】
2016004788.tif 000004
【図３】
2016004788.tif 000005
【図４】
2016004788.tif 000006
【図５】
2016004788.tif 000007
【図６】
2016004788.tif 000008
【外国語明細書】
2016004788000001.pdf